(57)【要約】  【課題】    １種類の緑化用植栽トレーでもって、植栽する植物の種類を部分的に変えるなど緑化部分のレイアウトの変更を簡便に行なうことが可能であると共に、植栽トレーで緑化された場内に、そこに植栽された植物を損傷する惧れなく踏み入り歩行することを可能ならしめる緑化用植栽トレーを提供すること。  【解決手段】  緑化すべき設置場所に対して固定状に設置される外トレー１と、該外トレー１内に固定状に収納設置される１個又は複数個の内トレー２とからなる。  【選択図】    図１
2005151901.tif 000002
【特許請求の範囲】
【請求項１】
緑化すべき設置場所に対して固定状に設置される外トレーと、該外トレーとは別形成され該外トレー内に固定状に収納設置される１個又は複数個の内トレーとからなることを特徴とする緑化用植栽トレー。
【請求項２】
前記外トレーおよび内トレーの底壁に互いに嵌め合い係合する係合凹凸部を形成せしめ、上記外トレーと内トレーの係合凹凸部を相互に嵌合させることにより内トレーを外トレーに対して分離可能に固定状に収納設置してなることを特徴とする請求項１記載の緑化用植栽トレー。
【請求項３】
前記内トレーに、その上を歩行が可能な敷設部材を収納設置してなることを特徴とする請求項１又は２に記載の緑化用植栽トレー。
【請求項４】
前記歩行可能部材が、芝生または人工芝または小石または板部材である請求項３に記載の緑化用植栽トレー。
【請求項５】
前記内トレーに、草花を植栽することを特徴とする請求項１又は２に記載の緑化用植栽トレー。
【発明の詳細な説明】
【技術分野】
【０００１】
本発明は、建築物の屋上(陸屋根)や一般住宅のベランダ等における緑化を主な目的として屋上(陸屋根)やベランダ等に敷設される緑化用植栽トレーに関するものである。
【背景技術】
【０００２】
通常この種の植栽トレーは、所定大きさ（例えば、１辺が２００〜１０００ｍｍで高さが３０〜７０ｍｍ程度）の上部を開放した浅い矩形箱状に形成されて、屋上(陸屋根)やベランダ等の緑化すべき設置場所に縦横に整然と配列して敷設される。他方、緑化用植栽トレーを敷設した後は、定期的に植栽トレー自体の設置具合や植栽トレーを載置している防水層を点検したり植生状態を調べることがあり、その場合に、敷設された植栽トレーにより緑化されたその中に踏み入らなければならないことがある。それ以外にも、緑化された中を歩行できるようにすることは望ましいことである。
【０００３】
しかしながら従来のこの種緑化用植栽トレーでは、当然のことながら敷設された植栽トレーの全面に植物が植栽されているため、緑化用植栽トレーで緑化された場内に足を踏み入れる余地がないのが現状である。また、景観を楽しむ場合には特に、１つの植栽トレー内に複数種類の植物を組合せることが望ましいが、種類の異なる植物を1つの植栽トレー内に混栽することになるので、植物を交換する際には容易でなかった。
尚、本願出願人が知っている上記の先行技術は、文献公知発明に係るものではないため、本願明細書には先行技術文献情報を開示しない。
【発明の開示】
【発明が解決しようとする課題】
【０００４】
本発明はこのような現状に鑑みてなされたものであり、１種類の緑化用植栽トレーでもって、植栽する植物の種類を部分的に変えるなど緑化部分のレイアウトの変更を簡便に行なうことが可能であると共に、植栽トレーで緑化された場内に、そこに植栽された植物を損傷する惧れなく踏み入り歩行することを可能ならしめる緑化用植栽トレーを提供せんとするものである。
【課題を解決するための手段】
【０００５】
斯かる目的を達成する本発明の緑化用植栽トレーは、緑化すべき設置場所に対して水平方向にも鉛直方向にも移動しないように固定状に設置される外トレーと、該外トレーとは別形成されその外トレー内に少なくとも水平方向に移動しないように固定状に収納設置される１個又は複数個の内トレーとからなることを特徴としたものである（請求項１）。
この際、前記外トレーおよび内トレーの底壁にそれぞれ互いに嵌め合い係合する係合凹凸部を形成せしめ、上記外トレーと内トレーの係合凹凸部を相互に嵌合させることにより内トレーを外トレーに対して少なくとも水平方向に移動しないように分離可能に固定状に収納設置することが好ましい（請求項２）。
また、前記内トレーには、通常の緑化用植栽トレーと同様に植物を植栽しても良いし、その上を歩行が可能な敷設部材を収納設置しても良い（請求項３）。
すなわち、内トレーには、セダムに限らず草花等を植栽しても良いし（請求項５）、芝生や人工芝または小石或いは板部材等のその上を歩行が可能な敷設部材を収納設置しても良い（請求項４）。
更に、外トレー内に内トレーを収納設置した時に内トレーの外周に形成される外トレーの余地部分には、土、小石などを充填するか或いは通常の植栽トレーの場合と同様に植物を植栽することが好ましい。
【発明の効果】
【０００６】
本発明に係る緑化用植栽トレーは斯様に、緑化すべき設置場所に対して固定状に設置される外トレーと、該外トレー内に固定状に収納設置される１個または複数個の内トレーとからなるので、外トレーに植栽する植物と内トレーに植栽する植物の種類を変えて緑化するなど、１種類の緑化用植栽トレーでもって緑化すべき部分のレイアウトの変更を簡便に行なうことが可能となる。
しかも、本発明請求項２に記載の緑化用植栽トレーによれば、前記外トレーおよび内トレーの底壁に互いに嵌め合い係合する複数個の係合凹凸部を形成せしめ、上記外トレーと内トレーの係合凹凸部を相互に嵌合させることにより内トレーを外トレーに対して分離可能に固定状に収納設置するようにしたので、内トレーを外トレーに対して格別に道具を使用せずとも簡便に装着固定したり分離することが出来ると共に、内トレーを外トレー内に収納設置する際に外トレーに対する設置場所の制約がなく、外トレー内の好きな場所に設置することが出来る。
また、本発明請求項３，４に記載の緑化用植栽トレーによれば、内トレーに、芝生または人工芝または小石または板部材等のその上を歩行が可能な敷設部材を収納設置してなるので、本緑化用植栽トレーを緑化すべき設置場所に部分的に敷設することにより、植栽トレーで緑化された場内に、そこに植栽された植物を損傷する惧れなく自由に踏み入り歩行することが可能となる。
更に、本発明請求項５に記載の緑化用植栽トレーによれば、内トレーに草花を植栽する際に、外トレーに植栽するものと種類の異なる植物を植栽したり、１つの内トレー内に異種の植物を植栽することにより、景観を楽しむために植物の組合せや交換を容易且つ自在に行なえるようになる。
【発明を実施するための最良の形態】
【０００７】
以下、本発明の具体的な好適実施例を図面を参照しながら詳細に説明するが、本発明は図示実施例のものに限定されるものではなく、いろいろなバリエーションが考えられる。
また、各実施例を説明する図面には、全図面を通して同じ構成部材には同じ符号を付してある。
【０００８】
本発明に係る緑化用植栽トレーＡは基本的に、緑化すべき設置場所に対して固定状に設置される外トレー１と、その外トレー１内に固定状に収納設置される１個または複数個の内トレー２とから構成され、内トレー２には通常の植栽トレーと同様にセダムや草花等の植物を植栽するか、芝生や人工芝または小石、或いは板部材等のその上を歩行が可能な敷設部材３を収納設置し、更に、内トレー２を外トレー１内に収納設置した時に内トレー２の外周に形成される外トレー１の余地部分１ａには、土、小石などを充填するか或いは通常の植栽トレーの場合と同様に植物を植栽する。
【０００９】
外トレー１は、塩化ビニル樹脂，ポリプロピレン，ポリエチレン，ポリエステル，スチレン，ナイロン，ＡＢＳ樹脂，ＡＳ樹脂，ＥＶＡ或いはそれらの共重合体等からなる合成樹脂材を用いてプレス成形、射出成形または真空成形などにより一辺が２００〜１０００ｍｍ、好ましくは３００〜５００ｍｍで高さが３０〜７０ｍｍの上部を開放した浅い矩形箱状に形成され、緑化すべき設置場所に対して水平方向にも鉛直方向にも移動しないようにビスや吸盤等の固定手段４でもって固定状に設置される。
【００１０】
内トレー２は、外トレー１と同様に合成樹脂材を用いて上部を開放し平面視略四角形や三角形等の多角形状または円形状など適宜所望形状をした浅い箱状に形成され、且つ外トレー１の内寸法よりも十分に小さく形成される。すなわち、内トレー２は、外トレー１内に収納設置した時に外トレー１の上部から突出しないか突出しても余り突出しない程度の高さに形成すると共に、図１〜３に示す実施例のごとく外トレー１の中に１個を収納設置する場合には外トレー１と相似形または異形状に形成し且つ外トレー１より１廻りから３廻り程度小さく形成し、図４に示す実施例のごとく外トレー１の中に複数個を収納設置する場合にはそれなりの大きさ形状に形成するものである。
【００１１】
また、外トレー１および内トレー２の底壁１１，２１には、互いに嵌め合い係合することが可能な複数個の係合凹凸部３１，３２をそれぞれ形成せしめ、上記外トレー１と内トレー２の係合凹凸部３１，３２を相互に嵌合させることにより内トレー２を外トレー１に対して少なくとも水平方向に移動しないように分離可能に固定状に収納設置する。従って、これらの係合凹凸部３１，３２は、外トレー１および内トレー２の底壁１１，２１全体にわたって一定のピッチで形成することが望ましい。
【００１２】
この際、外トレー１及び内トレー２の底壁１１，２１に形成する係合凹凸部３１，３２には、単に内トレー２を外トレー１に固定させるべく互いに嵌合させるための連結機能だけでなく、そこに保水部５と排水部６を形成して緑化用植栽トレーとして適度の保水性と水はけ機能を兼用具備させるようにすることが好ましい。すなわち、図１〜３に示した実施例のものでは、外トレー１および内トレー２の底壁１１，２１にそれぞれ複数本の凸条を適当なピッチで略格子状に形成して、これら凸条で囲まれた部分を係合凸部３１とすると共に保水部５となし、各凸条の交差部分を係合凹部３２とすると共に当該部分に直径１〜５ｍｍ程度の通気兼排水用穴を１個ないし複数個開けて排水部６としたものである。
【００１３】
内トレー２の内部には、通常の植栽トレーと同様にセダムや草花などの植物を植栽しても良いし、内トレー２の上を歩行することが出来るように、その上を歩行が可能な敷設部材３を収納設置しても良い。
歩行が可能な敷設部材３としては、芝生または人工芝や小石、或いは平板状に形成された板部材などを使用することができる。
そして上記板部材としては、その内部に多数の連通穴を有することにより透水性ないし保水性を備え通常防水シートの表面を保護するのに使用される保護板と称されるものや、素焼きタイル，合成樹脂製板，木板等を挙げることが出来る。
この時上記板部材は、内トレー２の大きさ（内トレー２の内寸法）と適合する大きさ形状に形成しても良いし、そうでなくとも良い。敷設部材３の外形大きさが内トレー２と適合しない場合には、ネジ等の適当な固定手段でもって敷設部材３を内トレー２内に少なくとも水平方向に移動しないように固定する。
また、敷設部材３の厚さは、内トレー２内に収納設置した際に内トレー２の口縁の高さと同じか少し突出するくらいに設定することが望ましい。
【００１４】
なお、図示実施例では、歩行が可能な敷設部材（板部材）３を内トレー２の大きさ（内トレー２の内寸法）と適合する大きさ形状に形成して、内トレー２の段差２２部分に載承させることにより内トレー２の底壁２１と離れた状態に設置されているが、敷設部材３を内トレー２の底壁２１上に直接載承するように設置しても良いことは理解されるべきである。
【００１５】
而して、本植栽トレーＡを施工する場合、先ず外トレー１を、緑化すべき設置場所の所定の場所に他の通常の植栽トレーＢと同様に順番に敷設する。この時、外トレー１及び他の植栽トレーＢは従来と同様に、それぞれビスや吸盤等の固定手段４でもって防水層Ｃの上に動いたり浮き上がらないようにしっかりと固定され、同時に、隣接する植栽トレーＡ，Ｂ同士は結束バンドや連結金具等の連結手段７で連結固定される。
然る後に、外トレー１内に１個または複数個の内トレー２を収納設置する。この時、外トレー１および内トレー２の底壁１１，２１に形成した係合凹凸部３１，３２を相互に嵌合させることにより内トレー２を外トレー１に対して少なくとも水平方向に移動しないように分離可能に固定せしめ、更に必要に応じて外トレー１と内トレー２をビスなどで相互に連結固定する。
【００１６】
そして、内トレー２には、通常の植栽トレーと同様に植物Ｄを植栽するか、或いは図示実施例のごとく芝生や人工芝または小石或いは板部材等その上を歩行が可能な敷設部材３を収納設置する。更に、内トレー２を外トレー１内に収納設置した時に内トレー２の外周に形成される外トレー１の余地部分１ａには、土を充填するか或いは他の植栽トレーＢの場合と同様に、その中に植栽マット８や培養土９等をセットしてセダム等の植物Ｄを植栽する。
【００１７】
なお、図４に示した実施例のごとく１つの外トレー１内に複数個の内トレー２（２ａ，２ｂ，２ｃ，２ｄ）を収納設置する場合、その内のいくつかの内トレー２（例えば、２ａ，２ｃ）に植物Ｄを植栽し、残りの内トレー２（例えば、２ｂ，２ｄ）にその上を歩行が可能な敷設部材３を設置するようにしても良い。
【図面の簡単な説明】
【００１８】
【図１】本発明に係る緑化用植栽トレーの実施の一例を示す分解斜視図。
【図２】本発明に係る緑化用植栽トレーの敷設状態の実施の一例を示す一部切欠模式平面図。
【図３】図２の（Ｘ）−（Ｘ）線に沿う拡大断面図。
【図４】本発明に係る緑化用植栽トレーの他の実施一例を示す模式平面図。
【符号の説明】
【００１９】
Ａ：本発明に係る緑化用植栽トレー            Ｂ：通常の緑化用植栽トレー
Ｃ：防水層                                  Ｄ：植物
１：外トレー                                ２：内トレー
３：敷設部材                                ４：固定手段
５：保水部                                  ６：排水部
７：連結手段                                ８：植栽マット
９：培養土
１１：外トレーの底壁                      ２１：内トレーの底壁
３１：係合凸部                            ３２：係合凹部
【図１】
2005151901.tif 000003
【図２】
2005151901.tif 000004
【図３】
2005151901.tif 000005
【図４】
2005151901.tif 000006